(57)【特許請求の範囲】
【請求項１】
半導体製造装置に用いられる部材の温度を制御する温度制御システムであって、
第１の温度に調温された液体を貯蔵する低温温調ユニットと、
前記第１の温度より高い第２の温度に調温された液体を貯蔵する高温温調ユニットと、
前記低温温調ユニットから供給された流体を流す低温流路と、
前記高温温調ユニットから供給された流体を流す高温流路と、
流体を循環させるバイパス流路と、
合流部にて前記低温流路、前記高温流路及び前記バイパス流路と合流し、各流路から合流した流体を流す結合流路と、
前記部材またはその近傍に設置され、前記結合流路から流体を流し、前記部材を冷却又は加熱する調温部と、
前記合流部の上流側にて前記低温流路、前記高温流路及び前記バイパス流路に取り付けられた可変バルブと、
前記可変バルブの弁開度を制御し、前記低温流路、前記高温流路及び前記バイパス流路の流量分配比率を調整する制御装置と、
制御時に発生する前記低温温調ユニット内にある第１のタンクの液面と前記高温温調ユニット内にある第２のタンクの液面とのバランスを保つために、前記低温温調ユニット内の前記第１のタンク及び前記高温温調ユニット内の前記第２のタンクの間を連通する液面調整タンクと、
を備えることを特徴とする温度制御システム。
【請求項２】
前記制御装置は、前記低温流路、前記高温流路及び前記バイパス流路に取り付けられた前記可変バルブの弁開度を調整し、前記結合流路を流れる合流流量を均一にするように制御することを特徴とする請求項１に記載の温度制御システム。
【請求項３】
前記部材の温度を検出する第１の温度センサと、
前記合流部の下流側の前記結合流路の温度を検出する第２の温度センサと、を更に備え、
前記制御装置は、前記第１の温度センサ及び前記第２の温度センサにより検出された温度に基づき、前記可変バルブの弁開度をフィードバック制御することを特徴とする請求項１又は２に記載の温度制御システム。
【請求項４】
前記結合流路は、
前記調温部に流体を流した後、分岐部にて前記低温流路、前記高温流路及び前記バイパス流路と分岐して流体を循環させる循環路を形成し、
前記制御装置は、前記調温部を循環する液体の流量を一定に制御することを特徴とする請求項１〜３のいずれか一項に記載の温度制御システム。
【請求項５】
前記合流部は、前記低温流路、前記高温流路及び前記バイパス流路をそれぞれ流れる流体を混合する一時タンクを有することを特徴とする請求項１〜４のいずれか一項に記載の温度制御システム。
【請求項６】
前記制御装置は、
昇温時には前記高温流路から前記結合流路に流入される液体を、前記低温流路及び前記バイパス流路から前記結合流路に流入される液体より多くなるように前記可変バルブの弁開度を制御し、
降温時には前記低温流路から前記結合流路に流入される液体を、前記高温流路及び前記バイパス流路から前記結合流路に流入される液体より多くなるように前記可変バルブの弁開度を制御する請求項１〜５のいずれか一項に記載の温度制御システム。
【請求項７】
前記部材は、被処理体が載置される静電チャックであり、
前記調温部は、前記静電チャックの中心部に配置された流路と前記静電チャックの周辺部に配置された流路に分離され、
前記温度制御システムは、
前記静電チャックの中心部に配置された前記調温部の流路に流体を流す第１の温度制御システムと、前記静電チャックの周辺部に配置された前記調温部の流路に流体を流す第２の温度制御システムと、を有することを特徴とする請求項１〜６のいずれか一項に記載の温度制御システム。
【請求項８】
前記第１及び第２の温度制御システムには、貯蔵タンクおよび循環ポンプを備えた前記低温温調ユニット及び前記高温温調ユニットがそれぞれ別々に設けられていることを特徴とする請求項７に記載の温度制御システム。
【請求項９】
前記第１及び第２の温度制御システムには、貯蔵タンクおよび循環ポンプを備えた前記低温温調ユニット及び前記高温温調ユニットが共有して設けられていることを特徴とする請求項７に記載の温度制御システム。
【請求項１０】
温度制御システムを用いて内部の部材の温度を制御する半導体製造装置であって、
前記温度制御システムは、
第１の温度に調温された液体を貯蔵する低温温調ユニットと、
前記第１の温度より高い第２の温度に調温された液体を貯蔵する高温温調ユニットと、
前記低温温調ユニットから供給された流体を流す低温流路と、
前記高温温調ユニットから供給された流体を流す高温流路と、
流体を循環させるバイパス流路と、
合流部にて前記低温流路、前記高温流路及び前記バイパス流路と合流し、各流路を流れる流体を流す結合流路と、
前記部材またはその近傍に設置され、前記結合流路から流体を流し、前記部材を冷却又は加熱する調温部と、
前記合流部の上流側にて前記低温流路、前記高温流路及び前記バイパス流路に取り付けられた可変バルブと、
前記可変バルブの弁開度を制御し、前記低温流路、前記高温流路及び前記バイパス流路の流量分配比率を調整する制御装置と、
制御時に発生する前記低温温調ユニット内にある第１のタンクの液面と前記高温温調ユニット内にある第２のタンクの液面とのバランスを保つために、前記低温温調ユニット内の前記第１のタンク及び前記高温温調ユニット内の前記第２のタンクの間を連通する液面調整タンクと、
を有することを特徴とする温度制御システムを用いた半導体製造装置。
【請求項１１】
前記半導体製造装置の内部の部材は、静電チャック、上部電極、デポシールド又は処理容器の少なくともいずれかであることを特徴とする請求項１０に記載の半導体製造装置。
【請求項１２】
半導体製造装置に用いられる部材の温度を制御する方法であって、
第１の温度に調温された液体を低温温調ユニットに貯蔵し、
前記第１の温度より高い第２の温度に調温された液体を高温温調ユニットに貯蔵し、
前記低温温調ユニットから供給された流体を低温流路に流し、
前記高温温調ユニットから供給された流体を高温流路に流し、
流体をバイパス流路に循環させ、
合流部にて前記低温流路、前記高温流路及び前記バイパス流路と合流し、各流路を流れる流体を結合流路に流し、
前記部材またはその近傍に設置された調温部に前記結合流路から流体を流し、前記部材を冷却又は加熱し、
前記合流部の上流側にて前記低温流路、前記高温流路及び前記バイパス流路に取り付けられた可変バルブの弁開度を制御し、前記低温流路、前記高温流路及び前記バイパス流路の流量分配比率を調整し、
制御時に発生する前記低温温調ユニット内にある第１のタンクの液面と前記高温温調ユニット内にある第２のタンクの液面とのバランスを保つために、前記低温温調ユニット内の前記第１のタンク及び前記高温温調ユニット内の前記第２のタンクの間を液面調整タンクにより連通すること、
を含むことを特徴とする温度制御方法。
【発明の詳細な説明】
【技術分野】
【０００１】
本発明は、温度制御システム、半導体製造装置及び温度制御方法に関する。
【背景技術】
【０００２】
静電チャック内のヒータとチラーユニットとを用いて静電チャックに載置された被処理体を温度制御することが一般的に行われている。かかる構成では、チラーの冷媒管に所定温度の冷媒を循環させて冷却するとともに、ヒータに交流電流を印加して加熱する。このようにしてヒータによる加熱とチラーユニットによる冷却とにより、静電チャック上のウエハ温度を所望の温度に調整する。
【０００３】
上記構成の場合、チラーユニットには、常に低温冷媒（液体）を一定流量流し続ける。この状態で、温度を上げるためには載置台内に埋設されたヒータを加熱することが必要であるが、チラーユニットの冷却作用により昇温に多くの時間がかかり、温度制御のレスポンスが悪いという課題がある。
【０００４】
上記対策としてチラーユニットの低温流体の流量を減らすという方法がある。しかし、それではチラーユニットの冷却能力が下がり、降温速度が低下して温度制御性が悪くなる。別の対策としてヒータの容量を増やすという方法もある。しかし、それでは高周波電力のリーク電流が大きくなる。なぜなら、半導体製造装置では、高周波電力が印加される載置台上の静電チャックにヒータが埋め込まれていると、ヒータ線を通して外部に高周波電力がリークしてしまい、ヒータの容量が大きいほどリーク電流も大きくなるためである。
【０００５】
高周波電力をチャンバ内に印加する際、高周波電力がチャンバ外に漏れることは極力避けなければならない。そこで、高周波電力のチャンバ外へのリークを抑えるために、ヒータ線にヒータ電源フィルタを設ける。ところが、ヒータの容量を大きくすると、ヒータ電源フィルタの寸法も大きくする必要がある。また、ヒータ電源フィルタは、ヒータが埋め込まれた部材の直近に設置する必要があるため、ヒータ電源フィルタの寸法が大きくなるとフィルタ設置でスペースを浪費し、他機器の実装スペースに制約が生じる。
【０００６】
そこで、ヒータを使用せずに温度制御する方法も考えられる。例えば、特許文献１の温度制御装置は、流体を加熱して調温部に循環させる加熱サイクルと、流体を冷却して調温部に循環させる冷却サイクルとを有し、加熱サイクル、冷却サイクルおよび循環路の流量分配比率を制御することにより静電チャックの温度を制御する温度制御装置が開示されている。特許文献１の温度制御装置では、加熱サイクルと冷却サイクルとは完全に閉じた別系統の配管を循環する。そして、加熱サイクルを循環している高温流体との熱交換、及び冷却サイクルを循環している低温流体との熱交換により、２次的に加熱された高温流体と２次的に冷却された低温流体とを混合させて静電チャック内の管内に流している。このようなシステムの温度制御能力は、各蓄熱タンクにどの程度の流体を常時貯蔵していられるかという能力に依存する。つまり、各蓄熱タンクへ貯蔵される流体の量が温度の安定性を担保できる所定の閾値を超えていることが上記温度制御システムの温度制御能力を維持するために必要である。
【先行技術文献】
【特許文献】
【０００７】
【特許文献１】特開２０１０−１１７８１２号公報
【発明の概要】
【発明が解決しようとする課題】
【０００８】
しかしながら、特許文献１では、流体を貯蔵する各サイクルのタンクは、ある程度の量の流体が常時タンク内に貯蔵されている状態を常に保つことができず、貯蔵された流体が設定温度に制御されていない状態が発生し、温度制御性が悪くなる。
【０００９】
上記課題に対して、本発明の目的とするところは、複数の蓄熱タンクおよび循環ポンプを備えた温調ユニットの並設と、温調ユニットの蓄熱タンク内の液体を循環させる循環路を形成することにより、必要な蓄熱量が確保でき、より安定した温度制御が可能な、温度制御システム、半導体製造装置及び温度制御方法を提供することにある。
【課題を解決するための手段】
【００１０】
上記課題を解決するために、本発明のある観点によれば、半導体製造装置に用いられる部材の温度を制御する温度制御システムであって、第１の温度に調温された液体を貯蔵する低温温調ユニットと、前記第１の温度より高い第２の温度に調温された液体を貯蔵する高温温調ユニットと、前記低温温調ユニットから供給された流体を流す低温流路と、前記高温温調ユニットから供給された流体を流す高温流路と、流体を循環させるバイパス流路と、合流部にて前記低温流路、前記高温流路及び前記バイパス流路と合流し、各流路から合流した流体を流す結合流路と、前記部材またはその近傍に設置され、前記結合流路から流体を流し、前記部材を冷却又は加熱する調温部と、前記合流部の上流側にて前記低温流路、前記高温流路及び前記バイパス流路に取り付けられた可変バルブと、前記可変バルブの弁開度を制御し、前記低温流路、前記高温流路及び前記バイパス流路の流量分配比率を調整する制御装置と、を備えることを特徴とする温度制御システムが提供される。
【００１１】
前記制御装置は、前記低温流路、前記高温流路及び前記バイパス流路に取り付けられた前記可変バルブの弁開度を調整し、前記結合流路を流れる合流流量を均一にするように制御してもよい。
【００１２】
前記部材の温度を検出する第１の温度センサと、前記合流部の下流側の前記結合流路の温度を検出する第２の温度センサと、を更に備え、前記制御装置は、前記第１の温度センサ及び前記第２の温度センサにより検出された温度に基づき、前記可変バルブの弁開度をフィードバック制御してもよい。
【００１３】
前記低温温調ユニット及び前記高温温調ユニット内のタンクの近傍に、各タンク間を連通する液面調整タンクを更に備えることにより制御時に発生する液面バランスを保ってもよい。
【００１４】
前記結合流路は、前記調温部に流体を流した後、分岐部にて前記低温流路、前記高温流路及び前記バイパス流路と分岐して流体を循環させる循環路を形成し、前記制御装置は、前記調温部を循環する液体の流量を一定に制御してもよい。
【００１５】
前記合流部は、前記低温流路、前記高温流路及び前記バイパス流路をそれぞれ流れる流体を混合する一時タンクを有してもよい。
【００１６】
前記制御装置は、昇温時には前記高温流路から前記結合流路に流入される液体を、前記低温流路及び前記バイパス流路から前記結合流路に流入される液体より多くなるように前記可変バルブの弁開度を制御し、降温時には前記低温流路から前記結合流路に流入される液体を、前記高温流路及び前記バイパス流路から前記結合流路に流入される液体より多くなるように前記可変バルブの弁開度を制御してもよい。
【００１７】
前記部材は、被処理体が載置される静電チャックであり、前記調温部は、前記静電チャックの中心部に配置された流路と前記静電チャックの周辺部に配置された流路に分離され、前記温度制御システムは、前記静電チャックの中心部に配置された前記調温部の流路に流体を流す第１の温度制御システムと、前記静電チャックの周辺部に配置された前記調温部の流路に流体を流す第２の温度制御システムと、を有してもよい。
【００１８】
前記第１及び第２の温度制御システムには、貯蔵タンクおよび循環ポンプを備えた前記低温温調ユニット及び前記高温温調ユニットがそれぞれ別々に設けられていてもよい。
【００１９】
前記第１及び第２の温度制御システムには、貯蔵タンクおよび循環ポンプを備えた前記低温温調ユニット及び前記高温温調ユニットが共有して設けられていてもよい。
【００２０】
また、上記課題を解決するために、本発明の別の観点によれば、温度制御システムを用いて内部の部材の温度を制御する半導体製造装置であって、前記温度制御システムは、第１の温度に調温された液体を貯蔵する低温温調ユニットと、前記第１の温度より高い第２の温度に調温された液体を貯蔵する高温温調ユニットと、前記低温温調ユニットから供給された流体を流す低温流路と、前記高温温調ユニットから供給された流体を流す高温流路と、流体を循環させるバイパス流路と、合流部にて前記低温流路、前記高温流路及び前記バイパス流路と合流し、各流路を流れる流体を流す結合流路と、前記部材またはその近傍に設置され、前記結合流路から流体を流し、前記部材を冷却又は加熱する調温部と、前記合流部の上流側にて前記低温流路、前記高温流路及び前記バイパス流路に取り付けられた可変バルブと、前記可変バルブの弁開度を制御し、前記低温流路、前記高温流路及び前記バイパス流路の流量分配比率を調整する制御装置と、を有することを特徴とする温度制御システムを用いた半導体製造装置が提供される。
【００２１】
前記半導体製造装置の内部の部材は、静電チャック、上部電極、デポシールド又は処理容器の少なくともいずれかであってもよい。
【００２２】
また、上記課題を解決するために、本発明の別の観点によれば、半導体製造装置に用いられる部材の温度を制御する方法であって、第１の温度に調温された液体を低温温調ユニットに貯蔵し、前記第１の温度より高い第２の温度に調温された液体を高温温調ユニットに貯蔵し、前記低温温調ユニットから供給された流体を低温流路に流し、前記高温温調ユニットから供給された流体を高温流路に流し、流体をバイパス流路に循環させ、合流部にて前記低温流路、前記高温流路及び前記バイパス流路と合流し、各流路を流れる流体を結合流路に流し、前記部材またはその近傍に設置された調温部に前記結合流路から流体を流し、前記部材を冷却又は加熱し、前記合流部の上流側にて前記低温流路、前記高温流路及び前記バイパス流路に取り付けられた可変バルブの弁開度を制御し、前記低温流路、前記高温流路及び前記バイパス流路の流量分配比率を調整すること、を含むことを特徴とする温度制御方法が提供される。
【発明の効果】
【００２３】
以上説明したように本発明によれば、複数の蓄熱タンクおよび循環ポンプを備えた温調ユニットの並設と、温調ユニットの蓄熱タンク内の液体を循環させる循環路を形成することにより、必要な蓄熱量が確保でき、より安定した温度制御が可能な、温度制御システム、半導体製造装置及び温度制御方法を提供することができる。
【図面の簡単な説明】
【００２４】
【図１】一実施形態に係る温度制御システムの全体構成図。
【図２】一実施形態に係る温度のフィードバック制御のフローチャート。
【図３】一実施形態に係る可変バルブの開閉のタイミングチャート。
【図４】一実施形態と比較例の温度制御システムの概念構成図。
【図５】一実施形態と比較例の冷却能力を説明するためのグラフ。
【図６】一実施形態と比較例の加熱能力を説明するためのグラフ。
【図７】一実施形態の変形例１に係る温度制御システムの全体構成図。
【図８】一実施形態の変形例２に係る温度制御システムの全体構成図。
【発明を実施するための形態】
【００２５】
以下に添付図面を参照しながら、本発明の実施形態について説明する。なお、本明細書及び図面において、実質的に同一の機能構成を有する構成要素については、同一の符号を付することにより重複説明を省略する。
【００２６】
［半導体処理装置及び温度制御システムの全体構成］
（半導体処理装置）
まず、本発明の一実施形態に係る温度制御システムの全体構成について、図１を参照しながら説明する。本実施形態では、温度制御システム１により半導体処理装置１００の温度制御が実行される。
【００２７】
図１に示した半導体製造装置１００は、ＲＩＥ型のプラズマ処理装置として構成されており、たとえばアルミニウムまたはステンレス鋼等の金属製の円筒型の処理容器１０（チャンバ）を有している。処理容器１０は接地されている。処理容器１０内には、半導体ウエハＷ(以下、ウエハＷと称呼する)を載置する載置台１１が設けられている。載置台１１は、たとえばアルミニウムからなり、絶縁性の筒状保持部（図示せず）を介して処理容器１０の底から垂直上方に延びる筒状支持部１６に支持されている。載置台１１上の上面にはウエハＷを静電吸着力で保持するための静電チャック１２が設けられている。静電チャック１２は、直流電圧が印加されることによりクーロン力でウエハＷをチャック上に吸着保持する。静電チャック１２上にはウエハＷが載置される。本実施形態では、静電チャック１２を温度制御対象の機材の一例として挙げて説明する。本実施形態では、静電チャック１２の温度制御によりウエハＷを所定の温度に制御する。
【００２８】
処理容器１０の側壁と筒状支持部１６との間には排気路２０が形成されている。排気路２０は、図示しない排気装置に接続され、真空ポンプを用いて処理容器１０内の処理空間を所定の真空度まで減圧する。処理容器１０の側壁には、ウエハＷの搬入出口を開閉する搬送用のゲートバルブ３０が取り付けられている。
【００２９】
載置台１１には、整合器３４を介してプラズマ生成用の高周波電源３２が接続されている。高周波電源３２は、たとえば６０ＭＨｚの高周波電力を載置台１１に印加する。このようにして載置台１１は下部電極としても機能する。なお、処理容器１０の天井部には、後述するシャワーヘッド３８が接地電位の上部電極として設けられている。これにより、高周波電源３２からの高周波電圧は載置台１１とシャワーヘッド３８との間に容量的に印加される。
【００３０】
天井部のシャワーヘッド３８は、多数のガス通気孔３６ａを有する電極板３６と、電極板３６を着脱可能に支持する電極支持体３７とを有する。電極支持体３７の内部にはバッファ室３５が設けられ、バッファ室３５のガス導入口３５ａにはガス供給配管４２を介してガス供給源４０が連結されている。これにより、ガス供給源４０から処理容器１０内に所望のガスが供給される。
【００３１】
処理容器１０の周囲には、環状または同心状に延在する磁石４５が配置されている。処理容器１０内において、シャワーヘッド３８と載置台１１との間のプラズマ生成空間には、高周波電源３２により鉛直方向のＲＦ電界が形成される。高周波の放電により、静電チャック１２の表面近傍に高密度のプラズマが生成される。生成されたプラズマの作用により、処理容器１０内では、所定の温度に制御されたウエハＷにエッチング処理が施される。
【００３２】
（温度制御システム）
本実施形態に係る温度制御システム１では、低温温調ユニット７４及び高温温調ユニット７５から形成される２つの蓄熱する循環回路が設けられている。これらの２つの循環回路は、流体を貯蔵可能な大型のタンクと循環ポンプを保有し、各タンクへ貯蔵される流体の量は、常に温度の安定性を担保できる所定量を満たすことができる。このため、温度制御システム１の温度制御能力を維持し、安定した温度制御が可能である。
【００３３】
低温温調ユニット７４は、低温温調ユニット７４に設けられた熱交換部により第１の温度に調温された液体を低温タンクに貯蔵する。高温温調ユニット７５は、高温温調ユニット７５に設けられた熱交換部により第１の温度より高い第２の温度に調温された液体を高温温タンクに貯蔵する。第１の温度及び第２の温度は、後述する制御装置９０により制御される。低温温調ユニット７４及び高温温調ユニット７５は大型であり、半導体製造装置１００の周囲に置く必要のある排気装置等の配置スペースを考慮して処理容器１０の遠方に配置される。低温温調ユニット７４に貯蔵された低温冷媒(液体)は、低温流路７６を介して合流部ＰＡに到達し、流体を循環させるバイパス流路７３と合流する。高温温調ユニット７５に貯蔵された高温冷媒(液体)も同様に、高温流路７７を介して合流部ＰＡに到達し、流体を循環させるバイパス流路７３と合流する。合流部ＰＡには、低温流路７６、高温流路７７及びバイパス流路７３をそれぞれ流れる流体を混合する一時タンク７８が設けられていて、これらの流路を流れる流体を一時的に混合させる。結合流路７１は、合流部ＰＡにて、低温流路７６、高温流路７７及びバイパス流路７３と合流し、一時タンク７８にて混合された流体を流す。このようにして、結合流路７１に流す流体を予めある程度混合された流体とすることにより、調温部７０を流れる流体の温度を安定させ、温度制御性を高めることができる。
【００３４】
載置台１１の内部には流体を流す配管である調温部７０が設けられ、結合流路７１から液体を流入し、これにより静電チャック１２を冷却又は加熱する。調温部７０には、流体の入口側及び出口側に結合流路７１，７２が連結されている。調温部７０は、温度制御対象の部材またはその近傍に設置され、結合流路７１から流体を流し、前記部材を冷却又は加熱する調温部の一例である。
【００３５】
結合流路７１、７２は、調温部７０に流体を流した後、分岐部ＰＢにて低温流路８０、高温流路８１及びバイパス流路７３と分岐して流体を循環させる循環路を形成する。この循環路に循環させる流体の温度を設定温度にすることにより、調温部７０を流れる流体の温度が制御され、ウエハＷ上が所定の処理温度に調温される。
【００３６】
このように本実施形態に係る温度制御システム１では、合流部ＰＡにて高温流路７７と低温流路７６とを流れる流体は循環ラインに直接的に流入、流出される。
【００３７】
バルブユニット７９は、合流部ＰＡの上流側に設けられ、可変バルブ７９ａ、７９ｂ、７９ｃを含む。可変バルブ７９ａ、７９ｂ、７９ｃは、低温流路７６、バイパス流路７３、高温流路７７に取り付けられていて、可変バルブ７９ａ、７９ｂ、７９ｃの弁体の開度Ｖａ，Ｖｂ，Ｖｃを変えることにより、各流路から結合流路を流れる合流流量を調整するようになっている。バルブユニット７９は温度制御対象である静電チャック１２の近傍に配置され、これにより温度制御の応答性をよくする。
【００３８】
分岐部ＰＢから分岐された低温流路８０、高温流路８１及びバイパス流路７３には、それぞれ逆止弁８２，８３，８４が設けられ、分岐部ＰＢにて分岐して３方向に流れる流体が分岐部ＰＢに向かって逆流しないようになっている。こうして、低温流路８０を流れる流体は低温温調ユニット７４に戻り、低温温調ユニット７４内で再び第１の温度に調温される。バルブ８５は、低温流路８０と連結する配管８８に設けられ、低温流路８０から配管８８を経て低温温調ユニット７４に戻る流体の戻り量を調整する。
【００３９】
同様に、高温流路８１(紙面上の矢印Ａで紙面の右側から左側に接続されている)を流れる流体は高温温調ユニット７５に戻り、高温温調ユニット７５内で再び第２の温度に調温される。バルブ８６は、高温流路８１と連結する配管８１に設けられ、高温流路８１から配管８９を経て高温温調ユニット７５に戻る流体の戻り量を調整する。
【００４０】
制御装置９０は、結合流路７２に取り付けられたポンプ８７のインバータの回転数を調整して、調温部７０へ流入される流体の流量を制御する。また、前述したように、制御装置９０は、バルブユニット７９を制御する。これにより、流体を供給する側の３つの配管７６，７３，７７内の圧力を調圧する。これにより、上記調温部７０を含む循環路内の流量は一定に保たれ、分岐部ＰＢにて分岐した流体はバイパス流路７３を循環するか又は低温温調ユニット７４、高温温調ユニット７５に戻る。このようにして低温温調ユニット７４と高温温調ユニット７５の貯蔵量を同じにすることができる。なお、上記流量調整及び圧力調整には、分岐部ＰＢ近傍の配管に取り付けられたフローメータＦ、圧力計Ｐ４、及びバルブユニット７９近傍の各配管に取り付けられた圧力計Ｐ１、Ｐ２，Ｐ３が使用される。
【００４１】
低温流路８０、高温流路８１、バイパス流路７３にはそれぞれ逆止弁８２、８３、８４が設けられているものの、上記の圧力制御の多少の誤差や、例えば低温温調ユニット７４から流体を供給するようなタイミングに流体が高温流路の方へ流れてしまう等の理由により、高温温調ユニット７５、低温温調ユニット７４の液面に差ができてしまう場合がある。
【００４２】
このような場合にも、低温温調ユニット７４及び高温温調ユニット７５の近傍に設けられた、各ユニット内タンク間を連通する液面調整タンク９８の作用により、両液面に差が生じないようになっている。すなわち、３つのタンクの液面はすべて自然と同じ高さになっている。
【００４３】
昇温時、高温温調ユニット７５から流出される流体の量は、低温温調ユニット７４から流出される流体の量より多くなり、高温温調ユニット７５の液面は低温温調ユニット７４の液面より低くなる。降温時は逆に、低温温調ユニット７４の液面は高温温調ユニット７５の液面より低くなる。それらの場合、２つのタンクの間で液面が下がったほうに液面調整タンク９８に貯蔵されている流体が自然と流れていき、自然と同一液面となる。なお、液面調整タンク９８は図示しない液面計を有し、液面調整タンク９８の液面を検出することにより異常を検出する。
【００４４】
以上に説明したように、本実施形態に係る温度制御システム１では、ヒータを使わずに温度制御を実現する。そのため、本実施形態に係る温度制御システム１では、２系統の温度流体を設け、静電チャック１２の温度が設定温度になるように、低温流体と高温流体の温度を管理し、所定の流量比で混合させて静電チャック１２に流す。低温流路と高温流路とは別々の閉じた系ではなく、合流部ＰＡで合流する開かれた系である。低温流路と高温流路とを閉じた系で構成したシステムでは、温度制御中に加熱された流体の供給量、又は冷却された流体の供給量が不足し、温度制御性が悪くなる。特に、加熱された後に供給される流体の量にはある程度上限があるため最初の数秒で高温に加熱された流体の供給量が枯渇してしまい加熱能力が低下してしまう。例えば、後述する図６（加熱能力比較）の右グラフでは、加熱装置の温度Ｔｈは、最初の３秒で高温に加熱された流体の供給量が枯渇してしまい加熱能力が低下している。
【００４５】
しかしながら、本実施形態に係る温度制御システム１によれば、冷却用及び加熱用に低温温調ユニット７４内のタンク及び高温温調ユニット７５のタンクを設け、そこから大量の流体を供給することができるためタンク内の流体が枯渇することなく連続して供給できる。これにより、高速な温度調整及び安定した温度制御が可能になる。
【００４６】
なお、温度制御システム１には、ユニットパージ機能が設けられており、例えば紙面上の矢印Ｂから配管内にエアーを入れて流体を各タンクに戻す場合に用いられる。
【００４７】
［温度制御方法］
（制御装置の機能構成）
本実施形態に係る温度制御システム１は、制御装置９０により制御されている。制御装置９０は、温度制御部９２、装置制御部９４及び記憶部９６を有している。
【００４８】
温度制御部９２は、静電チャック１２の温度を制御する。具体的には、温度制御部９２は、ポンプ８７のインバータの回転数を調整して、バイパス流路７３、結合流路７１，７２、調温部７０内を循環する流体の流量が一定になるように制御する。また、温度制御部９２は、低温流路７６、高温流路７７、バイパス流路７３の各流路からの結合流路を流れる合流流量を均一にするように可変バルブ７９ａ、７９ｂ、７９ｃの弁開度Ｖａ，Ｖｂ，Ｖｃをそれぞれ調整する。
【００４９】
装置制御部９４は、記憶部９６に記憶されているレシピに基づき半導体製造装置１００を制御する。例えば、装置制御部９４は、ゲートバルブ３０の開閉、ガス供給源４０からのガス供給、高周波電源３２からの高周波印加のタイミングを制御し、これによりプラズマを生成してウエハＷに微細加工を施す。
【００５０】
（制御装置のハードウエア構成）
制御装置９０は、図示しないＣＰＵ（Central Processing Unit），ＲＯＭ（Read Only Memory）、ＲＡＭ（Random Access Memory）を有し、ＣＰＵはたとえば記憶部９６に格納された各種レシピに従ってプロセスを実行する。これにより、ＣＰＵによってエッチングプロセスやクリーニングプロセスが制御される。記憶部９６は、例えば半導体メモリ、磁気ディスク、または光学ディスクなどを用いてＲＡＭ、ＲＯＭとして実現されうる。レシピは、記憶媒体に格納して提供され、図示しないドライバを介して記憶部８５に読み込まれるものであってもよく、また、図示しないネットワークからダウンロードされて記憶部８５に格納されるものであってもよい。また、上記各部の機能を実現するために、ＣＰＵに代えてＤＳＰ（Digital  Signal  Processor）が用いられてもよい。なお、制御装置９０の機能は、ソフトウエアを用いて動作することにより実現されてもよく、ハードウエアを用いて動作することにより実現されてもよい。
【００５１】
［フィードバック制御］
温度制御部９２は、温度センサＴ１、温度センサＴ２及び圧力センサＰ１、Ｐ２，Ｐ３をモニターしながら、可変バルブ７９ａ、７９ｂ、７９ｃの開閉をフィードバック制御する。制御装置９０は、温度センサＴ２により検出された温度が温度センサＴ１により検出された温度（目標値）に近づくように可変バルブ７９ａ、７９ｂ、７９ｃをフィードバック制御する。
【００５２】
温度センサＴ１は、半導体製造装置１００に用いられる部材の温度を検出する第１の温度センサに相当する。ここでは、温度センサＴ１は、静電チャック１２の温度を検出する。また、温度センサＴ２は、合流部ＰＡの下流側の結合流路７１の温度を検出する第２の温度センサに相当する。
【００５３】
通常、設定温度が大きく変化しない場合には、制御装置９０は、循環路（バイパス流路７３→結合流路７１→調温部７０→結合流路７２→バイパス流路７３）に流体を流し、各タンク７４，７５から出入りする流体の流量を少なくして、エネルギー効率よく流体を循環させる。一方、加熱させたいときは、制御装置９０は、高温流路７７の可変バルブ７９ｃの弁体の開度Ｖｃを開けて高温流体を流入させ、結合流路７１に流れる流体の温度を上げる。冷却させたいときは、制御装置９０は、低温流路７６の可変バルブ７９ａの弁体の開度Ｖａを開けて低温流体を流入させ、結合流路７１に流れる流体の温度を下げる。
【００５４】
昇温時には、制御装置９０は、高温流路７７から結合流路７１に流入される液体を、低温流路７６及びバイパス流路７３から結合流路７１に流入される液体より多くなるように可変バルブ７９ａ，７９ｂ，７９ｃの弁体の開度Ｖａ，Ｖｂ，Ｖｃを制御する。また、降温時には、制御装置９０は、低温流路７６から結合流路７１に流入される液体を高温流路７７及びバイパス流路７３から結合流路７１に流入される液体より少なくなるように可変バルブ７９ａ，７９ｂ，７９ｃの弁体の開度Ｖａ，Ｖｂ，Ｖを制御する。
【００５５】
制御装置９０による温度のフィードバック制御について図２及び図３を参照しながら詳述する。図２は、制御装置９０により実行されるフィードバック制御の処理手順を示したフローチャートである。図３は、図２の処理で制御される可変バルブ７９ａ，７９ｂ，７９ｃの各操作量（弁開度Ｖａ，Ｖｂ，Ｖｃ）の一例を示す。図２の処理は、制御装置９０の温度制御部９２により、例えば所定周期で繰り返し実行される。
【００５６】
処理が開始されると、温度制御部９２は、まずステップＳ１０において、温度センサＴ１の検出値を静電チャック１２の温度の目標値Ｔｔとして取得する。また、温度制御部９２は、温度センサＴ２の検出値Ｔｄを合流部ＰＡにて合流後の流体の温度として取得する。
【００５７】
温度制御部９２は、続くステップＳ１２において、検出値Ｔｄを目標値Ｔｔに近づけるために、検出値Ｔｄに基づき可変バルブ７９ａ，７９ｂ，７９ｃの弁開度Ｖａ，Ｖｂ，Ｖｃをフィードバック制御する。そのために、温度制御部９２は、フィードバック制御のための基本操作量ＭＢを算出する。
【００５８】
基本操作量ＭＢは、検出値Ｔｄの目標値Ｔｔに対する乖離度合いに基づき算出される量である。詳しくは、本実施形態では、検出値Ｔｄと目標値Ｔｔとの差ΔのＰＩＤ（比例積分微分）演算によって基本操作量ＭＢを算出する。
【００５９】
ついで、温度制御部９２は、続くステップＳ１４において、基本操作量ＭＢを、低温側の可変バルブ７９ａ、バイパス流路の可変バルブ７９ｂ、及び高温側の可変バルブ７９ｃの各操作量、すなわち各可変バルブ７９ａ，７９ｂ，７９ｃの弁開度Ｖａ，Ｖｂ，Ｖｃに変換する。ここでは、図３に示す可変バルブの弁開度Ｖａ，Ｖｂ，Ｖｃの関係を用いる。
【００６０】
ここで、可変バルブ７９ａの弁開度Ｖａは、基本操作量ＭＢがゼロ未満である場合には、基本操作量ＭＢの増加に伴い単調減少し、基本操作量ＭＢがゼロ以上である場合には、「０」となる。これは、検出値Ｔｄが目標値Ｔｔよりも高いほど低温流路７６の流量を増加させて、かつ検出値Ｔｄが目標値Ｔｔ以下の場合には、低温流路７６を用いないための設定である。また、可変バルブ７９ｃの弁開度Ｖｃは、基本操作量ＭＢがゼロより大きい場合には、基本操作量ＭＢの増加に伴い単調増加し、基本操作量ＭＢがゼロ以下である場合には、「０」となる。これは、検出値Ｔｄが目標値Ｔｔよりも低いほど高温流路７７の流量を増加させて且つ、検出値Ｔｄが目標値Ｔｔ以上の場合には、高温流路７７を用いないための設定である。更に、可変バルブ７９ｂの弁開度は、基本操作量ＭＢがゼロから離間するに従い単調減少する。なお、図３において、３つの通路から流出する合計の流量が基本操作量ＭＢの値によって変化しないように各弁開度Ｖａ，Ｖｂ，Ｖｃを設定することが望ましい。
【００６１】
こうした設定によれば、検出値Ｔｄと目標値Ｔｔとの差Δの単一のＰＩＤ演算によって算出される基本操作量ＭＢに基づき、可変バルブ７９ａ，７９ｂ，７９ｃの３つのバルブの操作量を設定することができる。
【００６２】
先の図２のステップＳ１４の処理が完了すると、温度制御部９２は。ステップＳ１６において、可変バルブ７９ａ，７９ｂ，７９ｃの弁体の開度Ｖａ，Ｖｂ，Ｖｃを操作する。ステップＳ１８の処理が完了した場合、この一連の処理を一旦終了する。
【００６３】
このようなフィードバック制御により、検出値Ｔｄを目標値Ｔｔに高精度に追従させることができる。
【００６４】
［温度制御システムの冷却能力］
次に、図４及び図５を参照しながら本実施形態に係る温度制御システムの冷却能力を説明する。図４の右側は本実施形態に係る温度制御システム１の概略構成図であり、図１の温度制御システム１の概略を示す。図４の左側は、比較例の概略構成図である。図５の右側は本実施形態に係る温度制御システム１による冷却効果を示したグラフである。図５の左側は比較例による冷却効果を示したグラフである。
【００６５】
本実施形態に係る温度制御システム１では、４つの温度測定箇所に温度センサが取り付けられている。具体的には、低温温調ユニット７４に取り付けられ、温度ＴＣを検出する温度センサ、高温温調ユニット７５に取り付けられ、温度Ｔｈを検出する温度センサ、載置台の流路入り口に取り付けられ、温度ＴＩを検出する温度センサ、静電チャック１２の表面に取り付けられ、温度ＴＳを検出する温度センサである。
【００６６】
比較例に係る温度制御システムは、体積吸収タンク２７４、ポンプ２７５、加熱装置２７７、冷却装置２７９を有している。流路２８２が循環流路を形成し、流路２８２上にポンプ２７５が設けられている。流路２８２は、ポンプ２７５の上流側で三方に分岐されており、それぞれ加熱流路２８３、バイパス流路２８４、冷却流路２８５を形成している。加熱流路２８３の途中には、加熱手段として蓄熱タンクを備える加熱装置２７７が設けられ、加熱装置２７７は加熱流路２８３を流れる流体を加熱する。同様に、冷却流路２８５の途中には、冷却手段として蓄熱タンクを備える冷却装置２７９が設けられ、冷却装置２７９は冷却流路２８５を流れる流体を冷却する。バルブ２８３ａ、２８４ａ、２８５ａは、加熱流路２８３、バイパス流路２８４、冷却流路２８５をそれぞれ流れる流体の流量を操作するために用いられる。
【００６７】
流体は、温度制御対象である静電チャック２８０近傍を流れ、これにより、静電チャック２８０の温度が制御される。静電チャック２８０近傍を流れた流体は、排出通路２８１から循環流路へ戻される。
【００６８】
比較例に係る温度制御システムにおいても、４つの温度測定箇所に温度センサが取り付けられている。具体的には、冷却装置２７９に取り付けられ、温度ＴＣを検出する温度センサ、加熱装置２７７に取り付けられ、温度Ｔｈを検出する温度センサ、載置台の流路入り口に取り付けられ、温度ＴＩを検出する温度センサ、静電チャックの表面に取り付けられ、温度ＴＳを検出する温度センサである。
【００６９】
かかる構成の温度制御システムを用いて冷却能力について比較した。その結果を図５に示す。サセプタ表面の静電チャックに取り付けられた温度センサにより検出される温度は目標温度ＴＳである。冷却を開始してからサセプタ表面（静電チャックの温度：目標温度ＴＳ）の設定温度を６０℃から３０℃に変更したとき、静電チャックの温度が設定温度にどの程度追従しているかを計測し、目標温度ＴＳが３０℃下がるまでの時間を計測した。
【００７０】
その結果、図５左のグラフの比較例では、目標温度ＴＳが６０℃から３０℃までΔｔ＝３０℃下がるまでに３２秒かかったのに対して、図５右のグラフの本実施形態では、目標温度ＴＳがΔｔ＝３０℃下がるまでに２１秒しかかからなかった。この結果から、本実施形態に係る温度制御システム１の冷却能力は、比較例の約１．５倍であることがわかった。特に、比較例の冷却装置２７９及び本実施形態の低温温調ユニット７４に取り付けた温度センサの検出値ＴＣの温度の推移を比較すると、比較例では、１０℃付近の低温状態が約６秒しか保てなかったのに対して、本実施形態では、１０℃付近の低温状態を約３５秒保つことができた。以上から、本実施形態に係る温度制御システム１の冷却能力は比較例の１．５倍であり、図５下のグラフにも示した通り、本実施形態の温度制御システム１の温度応答性は、比較例より高いことがわかった。
【００７１】
［温度制御システムの加熱能力］
加熱能力についても、図６に示したように同様の効果が得られた。図６の右側は本実施形態に係る温度制御システム１による加熱効果を示したグラフである。図６の左側は比較例による加熱効果を示したグラフである。
【００７２】
図６では、低温温調ユニット７４又は冷却装置２７９に取り付けられた温度センサＴＣの替わりに高温温調ユニット７５又は加熱装置２７７に取り付けられた温度センサＴｈを用いる。セプタの流路入り口の温度センサＴＩ、サセプタ１２の表面の温度センサＴＳはそのまま用いられる。
【００７３】
その結果、図６左のグラフの比較例では、３秒間、所望の高温状態を維持された。これに対して、図６右のグラフの本実施形態では、１７秒間、高温状態が維持された。以上から、本実施形態に係る温度制御システム１の加熱能力は比較例の５倍以上であり、加熱能力においても、本実施形態の温度制御システム１の温度応答性は、比較例より高いことがわかった。
【００７４】
［変形例］
最後に、本実施形態の変形例に係る温度制御システム１について、図７及び図８を参照しながら説明する。図７に示した変形例によれば、静電チャック１２の中心部７０ａ、周辺部７０ｂと場所を分割して温度制御を行う場合、本変形例では、中心部７０ａ用の第１の温度制御システムと、周辺部７０ｂ用の第２の温度制御システムというように、同じ構成の２つの温度制御システムを設置する。この場合、２つの低温温調ユニット７４ａ、７４ｂと２つの高温温調ユニット７５ａ、７５ｂが、温度制御システム毎に別々に配置される。
【００７５】
一方、図８に示した変形例のように、静電チャック１２の中心部７０ａ、周辺部７０ｂと場所を分割して温度制御を行う場合であっても、低温温調ユニット７４及び高温温調ユニット７５の容量を増加させることにより、低温温調ユニット７４及び高温温調ユニット７５を２つの温度制御システムに共通して使用することも可能である。図８では、第１及び第２の温度制御システムの低温流路を流れる流体は符号Ｇ，Ｅから同一の低温温調ユニット７４に戻る。第１及び第２の温度制御システムの高温流路を流れる流体は符号Ｄ，Ａから同一の低温温調ユニット７４に戻る。これにより、低温温調ユニット７４及び高温温調ユニット７５を共通化した１つのシステムで温度制御が可能となる。
【００７６】
以上に説明した変形例によれば、静電チャックの周辺部と中心部の２ゾーンの温度制御が可能になる。これにより、ウエハＷ上の温度を均一にすることができる。例えば加熱され易いフォーカスリング近傍の周辺部の温度制御を中央部の温度制御と異なる制御にすることにより、温度制御の精度を向上させることができる。
【００７７】
以上に説明したように、本実施形態及び変形例によれば、複数の蓄熱タンクおよび循環ポンプを備えた温調ユニットの並設とそれらを循環させる循環路を形成することにより、必要な蓄熱量が確保でき、より安定した温度制御が可能な、温度制御システム１が構築できる。これにより、温度制御対象である部材の温度を急速に昇温又は降温できる。このため、レシピステップ間で設定温度を切り替える際の温度安定時間を短縮でき、生産性を高めることができる。
【００７８】
また、プロセス中のプラズマエネルギーによる部材の温度の上昇を迅速に抑えることができ、常に安定的にターゲットとなる部材の温度を制御することができ、それにより歩留まりを向上させることができる。
【００７９】
＜おわりに＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇において、各種の変更例または修正例に想到し得ることは明らかであり、これらについても、当然に本発明の技術的範囲に属するものと了解される。
【００８０】
たとえば、本発明に係る温度制御方法は、半導体製造装置内の静電チャックだけでなく、上部電極、デポシールド（図示せず）又は処理容器の温度制御に使用することができる。
【００８１】
また、本発明に係る温度制御が可能なプラズマプロセスはエッチングプロセスに限られず、成膜、アッシング、スパッタリング等、いかなるプロセスでもよい。
【００８２】
また、本発明に係る温度制御方法は、平行平板型のエッチング処理装置だけでなく、円筒状のＲＬＳＡ（Ｒａｄｉａｌ  Ｌｉｎｅ  Ｓｌｏｔ  Ａｎｔｅｎｎａ）半導体製造装置、ＩＣＰ（Ｉｎｄｕｃｔｉｖｅｌｙ  Ｃｏｕｐｌｅｄ  Ｐｌａｓｍａ）半導体製造装置、マイクロ波半導体製造装置等いかなる半導体製造装置にも利用することができる。
【符号の説明】
【００８３】
１          温度制御システム    
１０        処理容器    
１２        載置台（下部電極）
３２        高周波電源
３８        シャワーヘッド(上部電極)
４０        ガス供給源
７０        調温部
７１        結合流路
７３        バイパス流路
７４        低温温調ユニット
７５        高温温調ユニット
７９ａ，７９ｂ、７９ｃ  可変バルブ
７６        低温流路
７７        高温流路
７８        一時タンク
９０        制御装置
９２        温度制御部
９８        液面調整タンク
１００      半導体製造装置
ＰＡ        合流部
ＰＢ        分岐部
【図１】
0005912439.tif 000002
【図２】
0005912439.tif 000003
【図３】
0005912439.tif 000004
【図４】
0005912439.tif 000005
【図５】
0005912439.tif 000006
【図６】
0005912439.tif 000007
【図７】
0005912439.tif 000008
【図８】
0005912439.tif 000009